(57)【要約】【課題】開口部を２枚の戸単体で閉じたときに、当該２枚の戸単体を一直線上に直列させて互いに突き合い状態とすることの出来る引き違い戸装置を提供する。【解決手段】第二戸単体８は、上側平行リンク５２を介して上側横動体５１に吊り下げられると共に、下側ガイドレール１３に係合して横動する下側横動体５６に平行リンク５７を介して連結され、第一戸単体７は、上側第一ガイドレール１２にガイドローラーユニット１５Ａを介して横動自在に吊り下げられ、第一戸単体７には、その外端側の下端部に、下側ガイドレール１３に係合する下側被係合部１６が設けられると共に、中間高さの裏面側に中間ガイドレール２１が付設され、直列閉じ位置にあるときに互いに隣接する両戸単体７，８の内端部の内側に位置するように配設された中間仕切り壁板６には、中間ガイドレール２１に係合する中間被係合部１４が取り付けられている。【選択図】図１０
2018087470.tif 000002
【特許請求の範囲】
【請求項１】
内側の第一横動経路、この第一横動経路の外側に重なる第二横動経路、第一横動経路内をその全域にわたって横動自在な第一戸単体、及び第一横動経路と第二横動経路との間を前後に平行移動自在で且つ第二横動経路内をその全域にわたって横動自在な第二戸単体を備え、この第一戸単体と第二戸単体が、第一横動経路内で直列する直列閉じ位置にある全閉状態から、前記直列閉じ位置での第二戸単体を第二横動経路内に平行移動させて、その内側に第一戸単体が重なる第一戸単体開き状態と、第二横動経路内に平行移動させた第二戸単体を、前記直列閉じ位置での第一戸単体の外側に重ねた第二戸単体開き状態とに、切り換え可能に構成された引き違い戸装置において、
第二戸単体は、上側第二ガイドレールに横動自在に支持される上側横動体に、第一戸単体の上側を水平に通る戸横動方向一対の上側平行リンクを介して吊り下げられると共に、下側ガイドレールに係合して横動する下側横動体に、第一戸単体の下側を水平に通る戸横動方向一対の平行リンクを介して連結され、第一戸単体は、戸横動方向一対のガイドローラーユニットを介して上側第一ガイドレールに横動自在に吊り下げられ、第一戸単体には、直列閉じ位置にあるときの第二戸単体から遠い外端側の下端部に、前記下側ガイドレールに係合する下側被係合部が設けられると共に、中間高さの裏面側に戸横動方向と平行に中間ガイドレールが付設され、前記直列閉じ位置にあるときに互いに隣接する第一戸単体と第二戸単体の内端部の内側に位置するように配設された支持部材には、前記中間ガイドレールに係合する中間被係合部が取り付けられている、引き違い戸装置。
【請求項２】
第一戸単体と第二戸単体の上端高さは、収納空間の天板より高くし、この天板の上側に、第二戸単体支持案内用の上側第二ガイドレールを敷設すると共に、この上側第二ガイドレールから、前記天板の前端面に隣接する第一戸単体支持案内用の上側第一ガイドレールを連設している、請求項１に記載の引き違い戸装置。
【請求項３】
第一戸単体と第二戸単体の下端高さは、収納空間の床板より高くし、この床板には、前記上側第二ガイドレールの真下位置で上側解放溝形の前記下側ガイドレールを埋設している、請求項１又は２に記載の引き違い戸装置。
【請求項４】
前記支持部材は、収納空間を左右に２分割する仕切り壁板の前辺部で構成されている、
請求項１〜３の何れか１項に記載の引き違い戸装置。
【発明の詳細な説明】
【技術分野】
【０００１】
本発明は、同一横動経路上で当該横動経路方向に直列する第一戸単体と第二戸単体によって開口部を閉じる引き違い戸装置に関するものである。
【背景技術】
【０００２】
この種の引き違い戸装置として、特許文献１に記載のように、内側の第一横動経路、この第一横動経路の外側に重なる第二横動経路、第一横動経路内をその全域にわたって横動自在な第一戸単体、及び第一横動経路と第二横動経路との間を前後に平行移動自在で且つ第二横動経路内をその全域にわたって横動自在な第二戸単体を備え、この第一戸単体と第二戸単体が、第一横動経路内で直列する直列閉じ位置にある全閉状態から、前記直列閉じ位置での第二戸単体の内側に第一戸単体が重なる第一戸単体開き状態と、前記直列閉じ位置での第一戸単体の外側に第二戸単体が重なる第二戸単体開き状態とに、切り換え可能に構成された引き違い戸装置が知られている。
【先行技術文献】
【特許文献】
【０００３】
【特許文献１】特開２００３−１３８８３５号公報
【発明の概要】
【発明が解決しようとする課題】
【０００４】
上記特許文献１に記載の引き違い戸装置では、第二戸単体の下端部を、平行リンクを介して位置決めする下側横動体の案内用の下側第二ガイドレールとは別に、第一戸単体の下端部の戸横動方向両端に設けられた被係合部を介して、当該第一戸単体の下端部の位置決めを行う下側第一ガイドレールが設けられている。従って、収納空間の床面側に構成される戸単体下端部の下側横動体の構造が複雑になり、コスト高になる欠点があった。又、床面側に下側第二ガイドレールと下側第一ガイドレールの２本を並設しなければならないので、床面上にこれらガイドレールを敷設することが出来ず、床面下に配設しなければならず、この点でも構造が複雑になっていた。
【課題を解決するための手段】
【０００５】
本発明は、上記のような従来の問題点を解消することのできる引き違い戸装置を提案するものであって、本発明に係る引き違い戸装置は、内側の第一横動経路、この第一横動経路の外側に重なる第二横動経路、第一横動経路内をその全域にわたって横動自在な第一戸単体、及び第一横動経路と第二横動経路との間を前後に平行移動自在で且つ第二横動経路内をその全域にわたって横動自在な第二戸単体を備え、この第一戸単体と第二戸単体が、第一横動経路内で直列する直列閉じ位置にある全閉状態から、前記直列閉じ位置での第二戸単体を第二横動経路内に平行移動させて、その内側に第一戸単体が重なる第一戸単体開き状態と、第二横動経路内に平行移動させた第二戸単体を、前記直列閉じ位置での第一戸単体の外側に重ねた第二戸単体開き状態とに、切り換え可能に構成された引き違い戸装置において、
第二戸単体は、上側第二ガイドレールに横動自在に支持される上側横動体に、第一戸単体の上側を水平に通る戸横動方向一対の上側平行リンクを介して吊り下げられると共に、下側ガイドレールに係合して横動する下側横動体に、第一戸単体の下側を水平に通る戸横動方向一対の平行リンクを介して連結され、第一戸単体は、戸横動方向一対のガイドローラーユニットを介して上側第一ガイドレールに横動自在に吊り下げられ、第一戸単体には、直列閉じ位置にあるときの第二戸単体から遠い外端側の下端部に、前記下側ガイドレールに係合する下側被係合部が設けられると共に、中間高さの裏面側に戸横動方向と平行に中間ガイドレールが付設され、前記直列閉じ位置にあるときに互いに隣接する第一戸単体と第二戸単体の内端部の内側に位置するように配設された支持部材には、前記中間ガイドレールに係合する中間被係合部が取り付けられた構成になっている。
【発明の効果】
【０００６】
上記構成の引き違い戸装置は、前記直列閉じ位置にある第一第二両戸単体によって収納空間の開口部を閉じるように使用されるものであって、前記特許文献１に記載の従来構成と同様に、前記直列閉じ位置にある第一第二両戸単体で閉じている収納空間の開口部を、第二戸単体の内側に第一戸単体を移動させた第一戸単体開き状態と、前記直列閉じ位置での第一戸単体の外側に第二戸単体を移動させた第二戸単体開き状態とを選択して、左右何れか半分を開くことが出来るものであるが、上記本発明の構成によれば、前記直列閉じ位置にある第一戸単体の下端側の戸横動方向の両端の内、外端側は、この第一戸単体に取り付けられた下側被係合部が、平行リンクを介して第二戸単体の下端側を案内する下側第二ガイドレールに係合することによって、奥行き方向に関して位置決めされ、内端側は、この第一戸単体に取り付けられた中間第一ガイドレールに、支持部材側の中間被係合部が係合することによって、奥行き方向に関して位置決めされる。
【０００７】
即ち、第一戸単体に人が手をついたり、もたれ掛かる機会が多くなる、前記直列閉じ位置に第一戸単体がある状況では、当該第一戸単体は、下端側の戸横動方向の両端部が奥行き方向に関して位置決めされており、この第一戸単体に人が手をついたり、もたれ掛かっても、奥側へ揺れ動くことがない。勿論、第二戸単体開き状態でも、同じように当該第一戸単体は、下端側の戸横動方向の両端部が奥行き方向に関して位置決めされるが、第一戸単体開き状態では、当該第一戸単体の下端側は、その戸横動方向の一端側のみ（実際には、第二戸単体の外側に突出する側）が、前記下側被係合部と下側第二ガイドレールとの係合箇所と、前記中間第一ガイドレールと中間被係合部との係合箇所とが互いに隣り合う状態で、奥行き方向に関して位置決めされ、反対側の下端側は位置決めされない状況になるが、この第一戸単体開き状態では、第一戸単体の外側に第二戸単体が重なっているため、第一戸単体に人が手をついたり、もたれ掛かって、奥側へ揺れ動く恐れは皆無である。このように第一戸単体の下端側の奥行き方向に関する位置決めを確実に行わせることが出来るにも拘らず、本発明の構成によれば、第一戸単体の下端側を位置決めする専用のガイドレールが不要になるので、床側の構造が簡単になり、安価に実施することが出来る。
【０００８】
尚、本発明を実施する場合、第一戸単体と第二戸単体の上端高さを、収納空間の天板より高くし、この天板の上側に、第二戸単体支持案内用の上側第二ガイドレールを敷設すると共に、この上側第二ガイドレールから、前記天板の前端面に隣接する第一戸単体支持案内用の上側第一ガイドレールを連設することが出来る。この構成によれば、第一戸単体や第二戸単体の重量を、確実且つ容易に収納空間の天板で支持させることが出来、天板の下側に前記上側第二ガイドレールや上側第一ガイドレールを取り付けなければならない場合と比較して、これらガイドレール自体や当該ガイドレールの取付け構造に、第一戸単体や第二戸単体の重量に耐え得る強度をもたせる必要がなくなり、大型大重量の戸単体を必要とするような場合でも、比較的安価に安全な引き違い戸装置を構成することが出来る。
【０００９】
又、第一戸単体と第二戸単体の下端高さを、収納空間の床板より高くし、この床板には、前記上側第二ガイドレールの真下位置で上側解放溝形の前記下側ガイドレールを埋設することが出来る。この構成によれば、床板の下側に下側第二ガイドレールなどを付設しなければならない場合と比較して、収納空間の床板として既設の床板をそのまま利用することが出来、収納空間の内外で床面に段差が生じない構造を簡単容易に実現出来る。
【００１０】
尚、前記支持部材は、前記中間被係合部が取り付けられる支持部材としては、収納空間の間口方向の中央部、換言すれば、左右の何れを開いた時も、互いに重なっている第一第二両戸単体の内端部の内側に隠れる位置に配置されるものであるから、この支持部材が収納空間に対する物の出し入れの邪魔になることはない。特に、収納空間を左右に２分割する仕切り壁板を必要とする収納空間の場合は、当該仕切り壁板の前辺部を前記支持部材に兼用させることが出来る。
【図面の簡単な説明】
【００１１】
【図１】図１は、直列閉じ位置にある第一戸単体と第二戸単体とで開口部を閉じた全閉状態の平面図である。
【図２】図２は、図１に示す状態での第一戸単体の中間高さの下側横動体を示す横断平面図である。
【図３】図３は、図１に示す状態での第一第二両戸単体の下端側の下側横動体を示す横断平面図である。
【図４】図４は、第二戸単体開き状態を示す平面図である。
【図５】図５は、第二戸単体開き状態での第一第二両戸単体の下端側の下側横動体を示す横断平面図である。
【図６】図６は、第一戸単体開き状態を示す平面図である。
【図７】図７は、第一戸単体開き状態での第一第二両戸単体の下端側の下側横動体を示す横断平面図である。
【図８】図８は、図１に示す状態での第一戸単体の下側横動体を示す一部縦断側面図である。
【図９】図９は、図１に示す状態での第二戸単体の下側横動体を示す一部縦断側面図である。
【図１０】図１０は、図４及び図５に示す第二戸単体開き状態を収納空間の外から見たときの第一戸単体外端側位置での縦断左側面図である（以下、左右を特定した側面図は、全て戸単体を収納空間の外から見たときの左側面図又は右側面図である）。
【図１１】図１１は、図６及び図７に示す第一戸単体開き状態の縦断左側面図である。
【図１２】図１２は、第一戸単体の裏面図である。
【図１３】図１３Ａは、第一戸単体の平面図、図１３Ｂは、第一戸単体の中間高さでの横断平面図、図１３Ｃは、第一戸単体の底面図である。
【図１４】図１４Ａは、第一戸単体の右側面図、図１４Ｂは、図１４Ａの縦断面図、図１４Ｃは、第一戸単体の左側面図である。
【図１５】図１５は、第二戸単体の裏面図である。
【図１６】図１６Ａは、第二戸単体の平面図、図１６Ｂは、第二戸単体の上側に取り付けられる平行リンク利用の上側横動体の平面図、図１６Ｃは、同上側横動体の裏面図である。
【図１７】図１７Ａは、第二戸単体の底面図、図１７Ｂは、第二戸単体の下側に取り付けられる平行リンク利用の下側横動体の底面図、図１７Ｃは、同下側横動体の裏面図である。
【図１８】図１８Ａは、第二戸単体の右側面図、図１８Ｂは、第二戸単体の左側面図である。
【図１９】図１９Ａは、第一戸単体の内端上部の上側カムレールを示す横断平面図、図１９Ｂは、図１９Ａの要部の縦断右側面図である。
【図２０】図２０Ａは、直列閉じ位置にある第一戸単体と第二戸単体の突き合い端部の詳細を示す一部省略平面図、図２０Ｂは、図２０Ａの要部を示す一部横断平面図である。
【図２１】図２１Ａは、図２０Ａに示す直列閉じ位置にある状態から第二戸単体を第一戸単体の方に開動させ始めた時の状態を示す一部省略平面図、図２１Ｂは、図２１Ａの要部を示す一部横断平面図である。
【図２２】図２２Ａは、図２０Ａに示す直列閉じ位置にある状態から第一戸単体を第二戸単体の方に開動させ始めた時の状態を示す一部省略平面図、図２２Ｂは、図２２Ａの要部を示す一部横断平面図である。
【図２３】図２３Ａは、第一戸単体に取り付けられる前のローラーユニットの非ロック状態を示す正面図、図２３Ｂは、同ローラーユニットのロック状態を示す正面図である。
【図２４】図２４Ａは、図１６Ｂ及び図１６Ｃに示す上側横動体が内蔵する平行リンク姿勢切換え保持手段が、平行リンクを退入姿勢に切り換えた状態を示す一部横断平面図、図２４Ｂは、同平行リンク姿勢切換え保持手段が、平行リンクを突出姿勢に切り換えた状態を示す一部横断平面図である。
【図２５】図２５Ａは、第二戸単体の位置決め手段の、第二戸単体側の従動部を示す平面図、図２５Ｂは、同右側面図、図２５Ｃは、同裏面図である。
【図２６】図２６Ａは、第二戸単体の位置決め手段の、ガイドレール側の本体を示す右側面図、図２６Ｂは、同縦断裏面図、図２６Ｃは、同平面図である。
【図２７】図２７Ａは、第二戸単体が図２０Ａに示す直列閉じ位置にあるときの前記位置決め手段を示す一部横断平面図、図２７Ｂは、同縦断左側面図である。
【図２８】図２８Ａは、図２０Ａに示す直列閉じ位置にある第二戸単体を第一戸単体の方に開動させ始めた時の前記位置決め手段を示す一部横断平面図、図２８Ｂは、同縦断左側面図である。
【図２９】図２９Ａは、図６に示す第一戸単体開き状態での前記位置決め手段を示す一部横断平面図、図２９Ｂは、同縦断左側面図である。
【発明を実施するための形態】
【００１２】
図１〜図１１において、１は引き違い戸装置であって、収納空間２の正面開口部を開閉する。収納空間２は、床板３上に、左右両垂直側板４ａ，４ｂ、天板５、収納空間２を左右に２分割する中間仕切り壁板６、及び図示省略の垂直後側板によって形成されている。引き違い戸装置１は、第一戸単体７と第二戸単体８を備えており、これら両戸単体７，８によって収納空間２の正面開口部を開閉するものであって、図１〜図３では、両戸単体７，８が直列閉じ位置にあって、収納空間２の正面開口部を全閉した状態を示している。尚、第一戸単体７と第二戸単体８は、図１〜図３に示すように両戸単体７，８が直列閉じ位置にあるときに互いに隣接する側辺を内端と称し、反対側の側辺を外端と称することにする。
【００１３】
収納空間２の正面開口部には、図１０及び図１１に示すように、当該正面開口部の全巾にわたって第一戸単体７が横動する第一横動経路９と、この第一横動経路９の外側で前記正面開口部の全巾にわたって第二戸単体８が横動する第二横動経路１０が設定されている。第一戸単体７と第二戸単体８の高さは、その下端が床板３より上側に位置すると共に、上端が水平天板５よりも高く位置するように、床板３の上面から天板５の上面までの高さよりも高くなっている。天板５の前側辺の上側には、第二戸単体支持案内用の上側第二ガイドレール１１が載置固定され、この上側第二ガイドレール１１の前端下側には、天板５の前端面をカバーする高さの第一戸単体支持案内用の上側第一ガイドレール１２が一体に連設されている。床板３には、上側第二ガイドレール１１の真下位置に上側解放溝形の下側ガイドレール１３が、当該ガイドレール１３の溝部両側の上端張出し板部が床板３上に載置されるように埋設されている。中間仕切り壁板６の下端寄りの中間高さには、その前側辺から前方に突出するように中間被係合部１４が取り付けられている。この中間被係合部１４は、中間仕切り壁板６の前側辺に長孔１４ａと締結ボルト１４ｂによって高さ調整自在に取り付けられたブラケット１４ｃと、このブラケット１４ｃの前方に突出する腕部に、前後奥行き方向に位置調整固定自在に取り付けられた軸受け部材１４ｄと、この軸受部材１４ｄの先端上側に垂直支軸により軸支されたローラー１４ｅによって構成されている。
【００１４】
上側第二ガイドレール１１は、巾広のリップ付き溝形断面構造のもので、内外一対の溝形レール部１１ａ，１１ｂと、これらを連結一体化する水平底板部１１ｃを備えている。上側第一ガイドレール１２は、上側第二ガイドレール１１の水平底板部１１ｃの前端近傍位置から垂下する垂直板部１２ａと、この垂直板部１２ａの下端から直角前方に連設された水平張出し板部１２ｂ、及びこの水平張出し板部１２ｂの上側前端に突設させた突条レール部１２ｃによって構成されている。この上側第二ガイドレール１１の水平底板部１１ｃと上側第一ガイドレール１２の垂直板部１２ａとの間の入隅部を、垂直板部１２ａが天板５の前端面に当接するように、天板部５の前端部に嵌合載置した状態で、例えば上側第二ガイドレール１１の水平底板部１１ｃを天板５にネジ止めすることにより取り付けられている。
【００１５】
図１２〜図１４に基づいて第一戸単体７の構造を説明すると、矩形の第一戸単体７の裏面側には、上端左右両角部の近くに位置する左右一対のローラーユニット１５Ａ，１５Ｂ、第一戸単体７の外端側のローラーユニット１５Ａの真下の下側角部の近くに位置する下側被係合部１６、第一戸単体７の内端側のローラーユニット１５Ｂの真上で第一戸単体７の上端と面一に位置する上側カムレール１７、この上側カムレール１７からローラーユニット１５Ａの上側まで第一戸単体７の上端と面一に連続する上側レール１８、ローラーユニット１５Ｂの真下の下側角部の近くで第一戸単体７の下端と面一に位置する下側カムレール１９、この下側カムレール１９と下側被係合部１６との間で第一戸単体７の下端と面一に連続する下側ガイドレール２０、及び第一戸単体７の下端寄りの中間高さでこの第一戸単体７の全巾に近い長さを有する中間ガイドレール２１が配設されている。この第一戸単体７の内端部には、その内端側辺から一定巾だけ表面側が、この第一戸単体７の高さの全域にわたって切除されて、表面側に切欠段部７ａが形成されている。
【００１６】
ローラーユニット１５Ａ，１５Ｂは互いに同一構造のもので、図２３Ａ，図２３Ｂに示すように、取付け基板２２、左右一対の溝付きローラー２３ａ，２３ｂが軸支され且つ両溝付きローラー２３ａ，２３ｂの中間位置で取付け基板２２に支軸２４により上下方向にシーソー運動可能に軸支された可動板２５、この可動板２５の下側で取付け基板２２に上下方向の長孔２６と締結ボルト２７とにより高さ調整自在に取り付けられたロック部材２８、このロック部材２８から連設された左右一対の係止片２９ａ，２９ｂ、及びロック部材２８を上昇限位置まで上昇させたときに係止片２９ａ，２９ｂの逆止爪３０ａ，３０ｂに係合して、ロック部材２８の下降を阻止するように、取付け基板２２から連設された左右一対の係止部３１ａ，３１ｂから構成されている。前記左右一対の係止片２９ａ，２９ｂは、ロック部材２８の上端左右両側から倒立Ｌ字状に下方に延出するもので、その下端に操作部３２ａ，３２ｂを備え、この両操作部３２ａ，３２ｂを狭めるように、左右一対の係止片２９ａ，２９ｂを弾性に抗して互いに内側へ接近揺動させて、左右一対の係止部３１ａ，３１ｂから逆止爪３０ａ，３０ｂを内側へ離脱させることにより、ロック部材２８を下降限位置まで下降させることが出来る。図２３Ａが、ロック部材２８を下降限位置まで下降させたロック解除状態を示し、図２３Ｂが、ロック部材２８を上昇限位置まで上昇させたロック状態を示している。
【００１７】
下側被係合部１６は、長孔３３ａと締結ボルト３３ｂとによって高さ調整自在に第一戸単体７の裏面に取り付けられる、側面視でＬ字形の軸受部材３３と、この軸受部材３３の先端下側に垂直支軸により軸支されたローラー３４によって構成され、図１４Ｂに示すように、軸受部材３３の取付け高さを上下に変えることにより、ローラー３４を、第一戸単体７の下端より上方の退避高さと、第一戸単体７の下端より下方に突出する作用高さとに切り換えることが出来る。
【００１８】
上側カムレール１７は、図１９Ａ及び図１９Ｂに詳細を示すように、その本体３５に、自動ロック手段３６と、上側開放溝形の湾曲レール溝３７を設けたものであり、本体３５は、取付け板部３５ａと、その上に連設された巾広本体部３５ｂから成り、この巾広本体部３５ｂの一部と取付け板部３５ａとが第一戸単体７の裏面と上端面との間の角部に埋設されている。自動ロック手段３６は、巾広本体部３５ｂの、第一戸単体７の内端側の端部に、前後奥行き方向に一定範囲内で滑動自在に内装された可動板３８と、この可動板３８を第一戸単体７から離れる内方に付勢する圧縮コイルバネ３９と、この可動板３８の下側に形成された係合部４０を備えている。可動板３８の滑動範囲は、この可動板３８から上向きに突設されたピン４１ａと、このピン４１ａが遊嵌するように巾広本体部３５ｂに設けられた長孔４１ｂとによって規制されている。
【００１９】
湾曲レール溝３７は、巾広本体部３５ｂの上面に刻設されたもので、その第一戸単体７の外端側の開放端部は、第一戸単体７の裏面より少し離れた位置にあり、第一戸単体７の内端側の閉じ端部は、可動板３８の上に重なり且つ平面視で第一戸単体７の厚さ内に入り込む位置にある。而して当該湾曲レール溝３７の閉じ端部側は、可動板３８の存在によって深さが半減しており、この深さの不足分を補うように、可動板３８の上側に凹入溝部３８ａが刻設されている。この凹入溝部３８ａは、可動板３８が圧縮コイルバネ３９に抗して退入限位置まで退入したときに、レール溝３７の閉じ端部側と平面視で合致するが、図示のように、可動板３８が圧縮コイルバネ３９の付勢力で進出限位置まで進出したときには、平面視でレール溝３７の閉じ端部内に入り込むカム面部３８ｂが形成されている。前記自動ロック手段３６は、図２０Ａ〜図２２Ｂに示すように、前記上側第二ガイドレール１１の内外一対の溝形レール部１１ａ，１１ｂの内、第一戸単体７に隣り合う外側の溝形レール部１１ｂの外側上端角部に取り付けられたストッパー部材４２と連携するものである。このストッパー部材４２は、図２０Ａ及び図２０Ｂに示すように、第一戸単体７が閉じ位置にあるとき、平面視において、前記係合部４０の第一戸単体内端側の直角角部より僅かに第一戸単体７の内端側に離れた位置に、当該ストッパー部材４２の第一戸単体７の外端側の直角角部が位置するように、取り付けられている。前記係合部４０とストッパー部材４２は、平面視において、前記直角角部とは反対側の垂直表面が徐々に後退するように湾曲しており、第一戸単体７が閉じ位置に向かって後退移動するときは、係合部４０がストッパー部材４２を乗り越えて通過出来る逆止構造となっている。
【００２０】
上側レール１８は、図１３Ａに示すように、上側カムレール１７における湾曲レール溝３７の開放端側の両側辺の内、第一戸単体７側の側辺と面一に連続する平坦なレール面１８ａを全長にわたって備えている。下側カムレール１９は、図１３Ｃに示すように、自動ロック手段３６を備えていないだけで、その他は上側カムレール１７と同一構造のものである。この下側カムレール１９が備える湾曲レール溝１９ａは、上側カムレール１７の湾曲レール溝３７と上下対称構造のものであって、第一戸単体７の下端面と面一の下側が開放している。下側ガイドレール２０は、下側カムレール１９の湾曲レール溝１９ａの開放端に接続し且つ第一戸単体７の下端面と面一の、下側開放の直線レール溝２０ａを備えたものであって、その第一戸単体７の外端側の端部は、前記下側被係合部１６の軸受部材３３内に入り込んで、直線レール溝２０ａの端が当該軸受け部材３３によって閉じられている。中間ガイドレール２１は、下側ガイドレール２０と同様に下側開放の直線レール溝２１ａを備えたもので、その両端は、当該中間ガイドレール２１に被さる状態で第一戸単体７に固定されている閉じ部材２１ｂ，２１ｃによって閉じられている。
【００２１】
第二戸単体８は、図１５〜図１８に示すように、高さが第一戸単体７と同一で矩形のものであって、その裏面には、内端側の上下両端部に埋設された平行リンク軸受け支持用ユニット４３，４４、外端側の上下両端部に埋設された平行リンク軸受け支持用ユニット４５，４６、平行リンク軸受け支持用ユニット４５に隣接する上端角部に取り付けられた、第二戸単体位置決め手段４７の従動部４８、及び平行リンク軸受け支持用ユニット４５の直下位置と平行リンク軸受け支持用ユニット４６の直上位置に取り付けられた、ゴムなどの緩衝材から成形された裁頭円錐形の当接部材４９，５０が配設されている。この第二戸単体８の内端部には、図１〜図３に示す直列閉じ位置に第一第二両戸単体７，８が位置するとき、第一戸単体７の内端表面側の切欠段部７ａに重なる薄肉突出板部８ａが形成されている。
【００２２】
上側の内外両平行リンク軸受け支持用ユニット４３，４５は、図１６Ｂ及び図１６Ｃに示す上側横動体５１の内外両平行リンク５２，５３の遊端下側に取り付けられた軸受け５４，５５を支持するものであり、下側の内外両平行リンク軸受け支持用ユニット４４，４６は、図１７Ｂ及び図１７Ｃに示す下側横動体５６の内外両平行リンク５７，５８の遊端上側に取り付けられた軸受け５９，６０を支持するものである。上側横動体５１は、上側第二ガイドレール１１が天板５上に取り付けられる前に、当該上側第二ガイドレール１１の一端からこの上側第二ガイドレール１１内に横動自在に嵌合されるもので、戸横動方向一対の台車部６１ａ，６１ｂと、両台車部６１ａ，６１ｂを連結一体化する連結部材６２、及び各台車部６１ａ，６１ｂに自転可能に支承された垂直回転軸６３ａ，６３ｂに一端部が取り付けられて水平に揺動自在な前記平行リンク５２，５３から構成されている。
【００２３】
各台車部６１ａ，６１ｂは、その平面視における四隅に、図９〜図１１に示すように、上側第二ガイドレール１１の両側の溝形レール部１１ａ，１１ｂ内に嵌合する、水平支軸周りに回転自在な支持用車輪６４と、垂直支軸周りに回転自在な位置決め用ローラー６５が配設されている。ここで四隅の位置決め用ローラー６５の内、第二戸単体８に近い前側一対の位置決め用ローラー６５は、溝形レール部１１ｂの垂直レール板の上端側に隣接し、第二戸単体８から遠い後ろ側一対の位置決め用ローラー６５は、溝形レール部１１ａの垂直レール板の下端側に隣接するように高さを変えて、台車部６１ａ，６１ｂに作用する第二戸単体８に近い前側への転倒モーメントを受け止め易くしている。又、各台車部６１ａ，６１ｂの車輪６４も、前記転倒モーメントを受け止めるために、前側一対の車輪６４は、溝形レール部１１ｂの下側水平レール板に当接し、後ろ側一対の車輪６４は、溝形レール部１１ａの上側水平レール板に下から当接している。各台車部６１ａ，６１ｂ上に軸支された内外両平行リンク５２，５３の内、内端側の平行リンク５２には、その基部から短い制御レバー５２ａが、平行リンク５２に対して平面視でＬ字状に一体に連設され、当該制御レバー５２ａの遊端下側にはカム従動ローラー５２ｂが垂直支軸によって軸支されている。
【００２４】
上側横動体５１の軸受け５４は、縦長矩形の厚板状のもので、その長さ方向の一端部を下から上向きに挿通された長尺の吊下げ用垂直支軸５４ａの、軸受け５４から上方に突出する端部が平行リンク５２の遊端に結合されたものである。この軸受け５４を支持する平行リンク軸受け支持用ユニット４３は、第二戸単体８の内端部における上端と裏面との間の角部に埋設されたもので、前記軸受け５４を第二戸単体８の内端側から戸横動方向に沿って挿入し得る収納空間４３ａと、この軸受け５４と平行リンク５２との間の吊下げ用垂直支軸５４ａが遊動し得る切欠き凹入溝４３ｂを備えている。そして収納空間４３ａ内に軸受け５４を、吊下げ用垂直支軸５４ａが切欠き凹入溝４３ｂの奥端に達する定位置まで挿入させたとき、軸受け５４に設けられた上下二段の抜け止め用係止片５４ｂが、収納空間４３ａ内からの軸受け５４の抜け出しを阻止して、軸受け５４が平行リンク軸受け支持用ユニット４３の収納空間４３ａ内に固定されるように構成されている。平行リンク軸受け支持用ユニット４３から軸受け５４を取り外すときは、抜け止め用係止片５４ｂを弾性に抗して係止解除方向に操作した状態で、収納空間４３ａ内から軸受け５４を引き抜けば良い。
【００２５】
上側横動体５１の軸受け５５は、縦長角柱状のもので、その中央部を下から上向きに挿通された長尺の吊下げ用垂直支軸５５ａの、軸受け５５から上方に突出する端部が平行リンク５３の遊端に結合されたものである。この軸受け５５を支持する平行リンク軸受け支持用ユニット４５は、第二戸単体８の外端近傍の裏面と上端面との間の角部に埋設されたもので、前記軸受け５５を第二戸単体８の裏面側から表面側に向かって嵌め込むことが出来る収納空間４５ａと、この軸受け５５と平行リンク５３との間の吊下げ用垂直支軸５５ａが遊動し得る切欠き凹入溝４５ｂを備えている。そして収納空間４５ａ内に軸受け５５を、吊下げ用垂直支軸５５ａが切欠き凹入溝４５ｂの奥端に達する定位置まで嵌め込んだとき、軸受け５５の左右両側に設けられた左右一対の抜け止め用係止片５５ｂと、収納空間４５ａの底部に設けられた抜け止め用係止片４５ｃとが、収納空間４５ａ内からの軸受け５５の抜け出しを阻止して、軸受け５５が平行リンク軸受け支持用ユニット４５の収納空間４５ａ内に固定されるように構成されている。平行リンク軸受け支持用ユニット４５から軸受け５５を取り外すときは、抜け止め用係止片４５ｃ，５５ｂを弾性に抗して係止解除方向に操作した状態で、収納空間４５ａ内から軸受け５５を引き抜けば良い。
【００２６】
上側横動体５１の台車部６１ａ，６１ｂには、図２４Ａ及び図２４Ｂに示すように、平行リンク５２，５３の姿勢保持手段６６が内装されている。図２４Ａ及び図２４Ｂは、第二戸単体８の内端側の台車部６１ａに内装されている姿勢保持手段６６を示しているが、外端側の台車部６１ｂに内装される姿勢保持手段６６も全く同一構造のものであるから、その図示と説明は省略する。
【００２７】
姿勢保持手段６６は、平行リンク５２（５３）が上端に取り付けられた垂直回転軸６３ａ（６３ｂ）に固着されたカム６７、このカム６７の回転方向に並列する２つの突起部６７ａ，６７ｂの内、一方の突起部６７ａに対応する先端カム従動部６８ａを備え且つ戸横動方向にスライド可能な第一可動体６８、この第一可動体６８を、先端カム従動部６８ａがカム６７の側に移動する方向に付勢する圧縮コイルバネ６９、カム６７の他方の突起部６７ｂに対応する先端カム従動部７０ａを備え且つ戸横動方向にスライド可能な第二可動体７０、及びこの第二可動体７０を、先端カム従動部７０ａがカム６７の側に移動する方向に付勢する油圧ダンパー７１から構成されている。カム６７は、図２４Ａに示すように、平行リンク５２（５３）が台車部６１ａ（６１ｂ）の上に重なる方向に退入した退入姿勢と、図２４Ｂに示すように、平行リンク５２（５３）が台車部６１ａ（６１ｂ）の上から横側方に離れた突出姿勢との間の水平揺動のみを可能にするように、回転角度が一定範囲内に制限されている。
【００２８】
平行リンク５２（５３）が図２４Ａに示す退入姿勢にあるときは、圧縮コイルバネ６９の付勢力で前進移動した第一可動体６８の先端カム従動部６８ａが、カム６７の突起部６７ａの内側に入り込んで、平行リンク５２（５３）が退入姿勢から突出姿勢に揺動するのを阻止し、平行リンク５２（５３）が退入姿勢に保持される。このときカム６７の突起部６７ｂは、第二可動体７０の先端カム従動部７０ａに押圧して当該第二可動体７０を、油圧ダンパー７１の付勢力に抗して後退した位置に保持している。退入姿勢に保持されている平行リンク５２（５３）に、台車部６１ａ（６１ｂ）の上から横側方に離れる方向に一定以上の回転力が作用すると、図２４Ｂに示すように、カム６７の突起部６７ａが先端カム従動部６８ａを介して第一可動体６８を、圧縮コイルバネ６９の付勢力に抗して後退移動させながら、平行リンク５２（５３）が、図２４Ｂに示す突出姿勢に切り換わる。この平行リンク５２（５３）の突出姿勢は、油圧ダンパー７１の付勢力で前進移動した第二可動体７０の先端カム従動部７０ａがカム６７の突起部６７ｂに圧接していることと、圧縮コイルバネ６９の付勢力によって第一可動体６８の先端カム従動部６８ａがカム６７の突起部６７ａを、その回転軸心である垂直回転軸６３ａ（６３ｂ）のある方向に押圧していることとによって、保持される。この突出姿勢に保持されている平行リンク５２（５３）に退入姿勢に戻す方向の一定以上の回転力が作用すると、カム６７の突起部６７ｂが油圧ダンパー７１の付勢力に抗して第二可動体７０を押し戻し、その後は、カムレール６７の突起部６７ａが第一可動体６８の先端カム従動部６８ａから外れて、当該第一可動体６８が圧縮コイルバネ６９の付勢力で前進移動するのに伴って、カム６７に、平行リンク５２（５３）を退入姿勢に戻す方向の回転力を与える結果、平行リンク５２（５３）が退入姿勢に自動復帰して保持されることになる。
【００２９】
下側横動体５６は、平行リンク５７の基部を垂直支軸５７ａによって軸支するスライダー７２、平行リンク５８の基部を垂直支軸５８ａによって軸支するスライダー７３、及びこれら両スライダー７２，７３を連結一体化する連結部材７４から構成され、各平行リンク５７，５８の遊端に、軸受け５９，６０に上から下向きに挿通された垂直支軸５９ａ，６０ａの下端部が連結されている。スライダー７２，７３は、図９及び図１１に示すように、床板３に埋設された下側ガイドレール１３のレール溝内に横動自在に遊嵌し得る巾の下半部７２ａ，７３ａの下端に、当該下側ガイドレール１３のレール溝内に丁度遊嵌し得る直径の、戸横動方向一対のガイドローラー７２ｂ，７３ｂが垂直支軸によって軸支され、下半部７２ａ，７３ａの上端には、下側ガイドレール１３のレール溝の上側に位置する巾広のカバー部７２ｃ，７３ｃが載置され、下半部７２ａ，７３ａとカバー部７２ｃ，７３ｃとの間において、平行リンク５７，５８が垂直支軸５７ａ，５８ａによって軸支されている。連結部材７４は、その全域の巾が、スライダー７２，７３の下半部７２ａ，７３ａと同一の巾であって、この連結部材７４の下半部のみが下側ガイドレール１３のレール溝内に遊嵌している。
【００３０】
下側横動体５６における一対の平行リンク５７，５８の遊端上側に軸支された軸受け５９，６０は、上側横動体５１における一対の平行リンク５２，５３の遊端下側に軸支された軸受け５４，５５と上下対称構造であり、これら軸受け５９，６０を支持する平行リンク軸受け支持用ユニット４４，４６は、上側横動体５１側の軸受け５４，５５を支持する平行リンク軸受け支持用ユニット４３，４５と上下対称構造のものである。即ち、軸受け５９は、縦長矩形の厚板状のもので、その長さ方向の一端部を上から下向きに挿通された長尺の垂直支軸５９ａの、軸受け５９から下方に突出する端部が平行リンク５７の遊端に結合されている。この軸受け５９を支持する平行リンク軸受け支持用ユニット４４は、第二戸単体８の内端部における下端と裏面との間の角部に埋設されたもので、前記軸受け５９を第二戸単体８の内端側から戸横動方向に沿って挿入し得る収納空間４４ａと、この軸受け５９と平行リンク５７との間の垂直支軸５９ａが遊動し得る切欠き凹入溝４４ｂを備えている。そして収納空間４４ａ内に軸受け５９を、垂直支軸５９ａが切欠き凹入溝４４ｂの奥端に達する定位置まで挿入させたとき、軸受け５９に設けられた上下二段の抜け止め用係止片５９ｂが、収納空間４４ａ内からの軸受け５９の抜け出しを阻止して、軸受け５９が平行リンク軸受け支持用ユニット４４の収納空間４４ａ内に固定されるように構成されている。平行リンク軸受け支持用ユニット４４から軸受け５９を取り外すときは、抜け止め用係止片５９ｂを弾性に抗して係止解除方向に操作した状態で、収納空間４４ａ内から軸受け５９を引き抜けば良い。
【００３１】
下側横動体５６の軸受け６０は、縦長角柱状のもので、その中央部を上から下向きに挿通された長尺の垂直支軸６０ａの、軸受け６０から下方に突出する端部が平行リンク５８の遊端に結合されたものである。この軸受け６０を支持する平行リンク軸受け支持用ユニット４６は、第二戸単体８の外端近傍の裏面と下端面との間の角部に埋設されたもので、前記軸受け６０を第二戸単体８の裏面側から表面側に向かって嵌め込むことが出来る収納空間４６ａと、この軸受け６０と平行リンク５８との間の垂直支軸６０ａが遊動し得る切欠き凹入溝４６ｂを備えている。そして収納空間４６ａ内に軸受け６０を、垂直支軸６０ａが切欠き凹入溝４６ｂの奥端に達する定位置まで嵌め込んだとき、軸受け６０の左右両側に設けられた左右一対の抜け止め用係止片６０ｂと、収納空間４６ａの底部に設けられた抜け止め用係止片４６ｃとが、収納空間４６ａ内からの軸受け６０の抜け出しを阻止して、軸受け６０が平行リンク軸受け支持用ユニット４６の収納空間４６ａ内に固定されるように構成されている。平行リンク軸受け支持用ユニット４６から軸受け６０を取り外すときは、抜け止め用係止片４６ｃ，６０ｂを弾性に抗して係止解除方向に操作した状態で、収納空間４６ａ内から軸受け６０を引き抜けば良い。
【００３２】
以上のように第二戸単体８の上下両側に上側横動体５１と下側横動体５６が取り付けられたとき、上側横動体５１における戸横動方向一対の平行リンク５２，５３の両端支点（６３ａ，５４ａ）（６３ｂ，５５ａ）と下側横動体５６における戸横動方向一対の平行リンク５７，５８の両端支点（５７ａ，５９ａ）（５８ａ，６０ａ）とは、それぞれ常に同一垂直軸心上にあって、下側横動体５６における平行リンク５７にも、真上の上側横動体５１における平行リンク５２と同様に、制御レバー５７ｂが一体に連設され、この制御レバー５７ｂの先端上側に軸支されたカム従動ローラー５７ｃも、平行リンク５２の制御レバー５２ａの先端下側に軸支されているカム従動ローラー５２ｂと常に同一垂直軸心上に位置しているように構成されている。
【００３３】
第二戸単体位置決め手段４７の従動部４８は、図１６Ａ，図１８Ａ、及び図２５Ａ〜図２５Ｃに示すように、第二戸単体８の裏面への取付け板部７５ａと、この取付け板部７５ａの上端から内側へ直角水平に演出する水平板部７５ｂとを備えた本体７５と、前記水平板部７５ｂの先端部の戸横動方向の両端角部の内、第二戸単体８の外端側の一段低くなった角部の上に垂直支軸によって軸支されたガイドローラー７６と、このガイドローラー７６に対して第二戸単体８の内端側に隣り合うように、水平板部７５ｂの先端部上に立設された垂直軸体７７から構成されている。前記ガイドローラー７６は、平面視において、前記水平板部７５ｂの角部の直角側辺から当該ガイドローラー７６の周面が突出するように配置されている。この従動部４８と共に第二戸単体位置決め手段４７を構成するために、図１に示すように、上側第二ガイドレール１１の一端、即ち、第一戸単体７と第二戸単体８とが直列閉じ位置にあるときの第二戸単体８の外端側の端部の上側に制御部７８が設けられている。
【００３４】
前記制御部７８は、図２６Ａ〜図２９Ｃに示すように、取付け用ブラケット７９を介して上側第二ガイドレール１１の端部の上側に配置された本体８０を備えている。前記取付け用ブラケット７９は、上側第二ガイドレール１１の前側の溝形レール部１１ｂの内側に、当て板７９ａと締結ボルト７９ｂとによって取り付けられた取付け板部７９ｃと、この取付け板部７９ｃから折曲連設されて、上側第二ガイドレール１１の端部を閉じるように配置された垂直板部７９ｄとを有する。本体８０は、前記取付け用ブラケット７９の前記垂直板部７９ｄに締結ボルト７９ｅによって取り付けられ且つ上側第二ガイドレール１１の前側の溝形レール部１１ｂに支持される横側壁部８１、上側第二ガイドレール１１の後ろ側の溝形レール部１１ａの上に支持される張出し突条部８２ａを有する後側壁部８２、及び天井壁部８３を備えたもので、横側壁部８１、後側壁部８２、及び天井壁部８３によって三方が閉じられた凹入空間８４が形成されている。又、天井壁部８３には、横側壁部８１のある側とは反対側の遊側辺に近い位置に、戸横動方向に対し直交する方向に長い凹溝部８５が形成されている。この凹溝部８５は、その長さ方向の両端が閉じられると共に天井壁部８３の下側に開放されたもので、この凹溝部８５の横側壁部８１のある側とは反対側の側面には、当該凹溝部８５の後側壁部８２側の端から凹溝部８５の全長の半分程度までの領域にわたって、水平方向の開口部８５ａが形成されている。
【００３５】
以上のように構成された本発明に係る引き違い戸装置１の組立て方法、使用方法、及び作用について説明すると、先に説明したように、図１６Ｂ及び図１６Ｃに示す第二戸単体８の上側横動体５１を、天板５の上に取り付けられる前の上側第二ガイドレール１１に一対の台車部６１ａ，６１ｂと連結部材６２を嵌合させることによって、当該上側第二ガイドレール１１に横動自在にセットし、この後、当該上側第二ガイドレール１１及びこれに一体に連設されている上側第一ガイドレール１２を天板５の所定位置に取り付ける。一方、図１７Ｂ及び図１７Ｃに示す第二戸単体８の下側横動体５６を、床板３に埋設されている下側ガイドレール１３にスライダー７２，７３及び連結部材７４を嵌合させることにより、当該下側ガイドレール１３に横動自在にセットする。この状態で、第二戸単体８の上端側内外両端の平行リンク軸受け支持用ユニット４３，４５に、上側横動体５１の内外両端の平行リンク５２，５３の端部下側に吊り下げ状態にある軸受け５４，５５を、先に説明したように嵌合係止させる。又、第二戸単体８の下端側内外両端の平行リンク軸受け支持用ユニット４４，４６に、下側横動体５６の平行リンク５７，５８の端部上側に支持されている軸受け５９，６０を、先に説明したように嵌合係止させる。
【００３６】
上記作業により第二戸単体８は、上側横動体５１の内外一対の平行リンク５２，５３と、下側横動体５６の内外一対の平行リンク５７，５８とによって、垂直姿勢に支持されると共に、上側第二ガイドレール１１と下側ガイドレール１３とに沿って横動することが出来る。又、上記平行リンク５２，５３及び平行リンク５７，５８の平行水平揺動を伴って、第二戸単体８は、戸横動方向とは直交する前後奥行き方向に平行移動することが出来るが、上側横動体５１の台車部６１ａ，６１ｂに内蔵されている姿勢保持手段６６の作用により、上側横動体５１の内外一対の平行リンク５２，５３が退入姿勢と突出姿勢との間でのみ水平揺動可能であり且つ内外一対の平行リンク５２，５３が退入姿勢と突出姿勢とに択一的に弾性力で保持される。ここで各平行リンク５２，５３，５７，５８が退入姿勢で保持されたときは、第二戸単体８が後ろ側の第一横動経路９内に位置し、各平行リンク５２，５３，５７，５８が突出姿勢で保持されたときは、第二戸単体８が前側の第二横動経路１０内に位置するように構成されている。次に第一戸単体７をセットする作業に入るが、このとき第二戸単体８は、手前に引き出すように操作して前側の第二横動経路１０内に位置させておく。
【００３７】
第一戸単体７を第一横動経路９内にセットするときは、中間仕切り壁板６に取り付けられている中間被係合部１４のローラー１４ｅを、締結ボルト１４ｂを緩めてブラケット１４ｃを下降させることにより、第一戸単体７の中間ガイドレール２１より下側に降ろしておく。そして、図１２及び図２３Ａに示すように、ローラーユニット１５Ａ，１５Ｂの締結ボルト２７を緩めてロック部材２８を下降限高さまで下降させ、ロック部材２８の上端と溝付きローラー２３ａ，２３ｂの下端高さとの間の間隔を広げた状態にすると共に、図１４Ｃに仮想線で示すように、下側被係合部１６のローラー３４を、第一戸単体７の下端より上方の退避高さに上げて締結ボルト３３ｂにより固定した状態で、ローラーユニット１５Ａ，１５Ｂの溝付きローラー２３ａ，２３ｂを、上側第一ガイドレール１２における突条レール部１２ｃに上から嵌合させる。この後、床板３の上側に入り込んでいる第一戸単体７の下側被係合部１６の締結ボルト３３ｂを緩め、ローラー３４を図１４に示すように作用高さまで下降させ、図８に示すように、ローラー３４を床板３側の下側ガイドレール１３内に遊嵌させた状態で、軸受部材３３を締結ボルト３３ｂで固定する。
【００３８】
次に、図８及び図２３Ｂに示すように、ローラーユニット１５Ａ，１５Ｂのロック部材２８を上昇限高さまで上昇させ、締結ボルト２７によって固定することにより、ロック部材２８の上端を、上側第一ガイドレール１２の水平張出し板部１２ｂの下側に接近させておく。この結果、ローラーユニット１５Ａ，１５Ｂの溝付きローラー２３ａ，２３ｂを、上側第一ガイドレール１２の突条レール部１２ｃから浮かせて前に引き出すために、第一戸単体７を持ち上げようとしても、ロック部材２８の上端が上側第一ガイドレール１２の水平張出し板部１２ｂの下側に当接して、阻止される。最後に、中間仕切り壁板６の中間被係合部１４におけるブラケット１４ｃの持ち上げと、軸受け部材１４ｄの前後奥行き方向の調整を行って、ローラー１４ｅを、第一戸単体７の中間ガイドレール２１の直線レール溝２１ａ内に円滑に横動出来るように遊嵌させた状態で、締結ボルト１４ｂによってブラケット１４ｃを中間仕切り壁板６に固定すると共に、このブラケット１４ｃに対して軸受け部材１４ｄを固定する。第一戸単体７を取り外すときは、上記作業とは逆の手順で作業を行えば良い。
【００３９】
上記のようにして第一横動経路９内にセットされた第一戸単体７は、戸横動方向一対のローラーユニット１５Ａ，１５Ｂを介して上側第一ガイドレール１２に水平に横動可能に吊り下げられると共に、その垂直姿勢が、下側ガイドレール１３に対する下側被係合部１６のローラー３４の遊嵌と、中間仕切り壁板６の中間被係合部１４におけるローラー１４ｅに対する中間ガイドレール２１の遊嵌とによって保持された状態で、第一横動経路９内を円滑に横動することが出来る。
【００４０】
尚、上記の第一戸単体７のセッティングは、上記のように第二横動経路１０内に位置させた第二戸単体８の内端（薄肉突出板部８ａのある端部）側より、第一戸単体７の内端（凹入段部７ａのある端部）が第二戸単体８の内側に入り込む位置で行う。従って、第二横動経路１０内に位置する第二戸単体８の内端側の突出姿勢にある上下一対の平行リンク５２，５７から連設されている制御レバー５２ａ，５７ｂのカム従動ローラー５２ｂ，５７cは、第一横動経路９内に位置する第一戸単体７の裏面より若干奥側に離れた位置にあるので、第二戸単体８の上側の制御レバー５２ａのカム従動ローラー５２ｂに、第一戸単体７の上側レール１８のレール面１８ａが隣接すると共に、第二戸単体８の下側の制御レバー５７ｂのカム従動ローラー５７ｃに、第一戸単体７の下側ガイドレール２０の直線レール溝２０ａが上から嵌合するように、第一戸単体７を第一横動経路９内に配置する。
【００４１】
以上のように第一戸単体７と第二戸単体８をセッティングすれば、図１〜図３に示すように、第一戸単体７の内端部が中間仕切り壁板６の前側に位置するように、第一横動経路９の一端側へ第一戸単体７を横動させ、この第一戸単体７が垂直側板４ａと中間仕切り壁板６との間の収納空間２の半分の領域を閉じる閉じ位置に移動させる。この状態では、ローラーユニット１５Ａ，１５Ｂによって上側第一ガイドレール１２に吊り下げられている第一戸単体７は、図２に示すように、中間仕切り壁板６側の中間被係合部１４のローラー１４ｅが、第一戸単体７に取り付けられている中間ガイドレール２１の内端側端部に嵌合しており、第一戸単体７の下端側では、図３に示すように、外端側の下側被係合部１６のローラー３４が床板３側の下側ガイドレール１３の端部に嵌合しているので、第一戸単体７の垂直姿勢は確実に保持されている。
【００４２】
次に、内端側が第一戸単体７の外側に被さる状態で第二横動経路１０に位置している第二戸単体８を、その内端部が中間仕切り壁板６の前側に位置するように、第一戸単体７とは逆方向に第二横動経路１０内で横動させると、上側横動体５１の制御レバー５２ａのカム従動ローラー５２ｂが第一戸単体７の上側レール１８におけるレール面１８ａ上を転動すると共に、下側横動体５６の制御レバー５７ｂのカム従動ローラー５７ｃが第一戸単体７の下側ガイドレール２０における直線レール溝２０ａ内を移動することにより、第二戸単体８の姿勢を保持している各平行リンク５２，５３，５７，５８が突出姿勢から退入姿勢に変化することが出来ないので、第二戸単体８は、第一戸単体７の外側の第二横動経路１０内を直線的に横動することになる。この第二戸単体８が、図１〜図３に示す閉じ位置、即ち、垂直側板４ｂと中間仕切り壁板６との間の収納空間２の半分の領域を閉じる閉じ位置に接近したとき、上側横動体５１の制御レバー５２ａのカム従動ローラー５２ｂが、第一戸単体７の上側レール１８におけるレール面１８ａ上から上側カムレール１７における湾曲レール溝３７内に進入すると共に、下側横動体５６の制御レバー５７ｂのカム従動ローラー５７ｃが、第一戸単体７の下側ガイドレール２０における直線レール溝２０ａ内から下側カムレール１９の湾曲レール溝１９ａ内に進入する。
【００４３】
上記作用により、閉じ位置に向かって第二横動経路１０内を横動する第二戸単体８は、上側カムレール１７及び下側カムレール１９の湾曲レール溝３７，１９ａ内に制御レバー５２ａ，５７ｂのカム従動ローラー５２ｂ，５７ｃが進入するのに伴って、上側横動体５１の平行リンク５２と下側横動体５６の平行リンク５７が、それぞれ突出姿勢から退入姿勢に向かって揺動し、第二戸単体８が第二横動経路１０内から第一横動経路９内へ平行に移動することになる。そして図１及び図３に示すように、湾曲レール溝３７，１９ａの終端にカム従動ローラー５２ｂ，５７ｃが到達したとき、第二戸単体８は、第一横動経路９内の閉じ位置に位置している第一戸単体７と直列する状態の、第一横動経路９内の閉じ位置に達することになる。このとき図示のように、第二戸単体８の内端の薄肉突出板部８ａが第一戸単体７の内端の凹入段部７ａ上に重なり、両戸単体７，８の表面は面一の状態になる。この第一横動経路９内へ平行に移動して第一戸単体７と直列する閉じ位置に変化した第二戸単体８は、その上側横動体５１の平行リンク５２，５３が、台車部６１ａ，６１ｂに内蔵されている姿勢保持手段６６の作用により退入姿勢に保持される結果、図１〜図３に示す直列閉じ位置に確実に保持される。
【００４４】
上記のように第一戸単体７と第二戸単体８が第一横動経路９内で直列閉じ位置になって、収納空間２の開口部が全閉されたとき、図２０に示すように、第二戸単体８の上側横動体５１における内端側の制御レバー５２ａのカム従動ローラー５２ｂが、第一戸単体７の内端の上側カムレール１７における湾曲レール溝３７の終端の自動ロック手段３６内に入り込んでいる。即ち、図１９Ａ及び図１９Ｂに示すように、自動ロック手段３６の可動板３８は、圧縮コイルバネ３９の付勢力で第一戸単体７から奥側へ変位した前進限位置に保持されており、湾曲レール溝３７内から前記可動板３８の凹入溝部３８ａ内に進入してくるカム従動ローラー５２ｂが、当該凹入溝部３８ａの側面のカム面部３８ｂを介して可動板３８を圧縮コイルバネ３９の付勢力に抗して後退限位置まで後退移動させることになり、可動板３８の下側に形成されている係合部４０を、図２０Ａ及び図２０Ｂに示すロック解除状態に切り換える。このロック解除状態では、上側第二ガイドレール１１上に付設されたストッパー部材４２に対し、閉じ位置にある第一戸単体７の前記係合部４０が、前側に若干離れた位置にあって、仮に閉じ位置にある第一戸単体７が第二戸単体８のある側へ移動しても、前記係合部４０はストッパー部材４２と衝突することなく、その表面上を通過することが出来る状態にある。
【００４５】
一方、第二戸単体８が、第一横動経路９内で第一戸単体７と直列する閉じ位置に達することにより、図２７Ａ及び図２７Ｂに示すように、第二戸単体位置決め手段４７の第二戸単体８側の従動部４８におけるガイドローラー７６と垂直軸体７７が、上側第二ガイドレール１１側の制御部７８における凹入空間８４（図２８Ａ参照）内に入り込み、ガイドローラー７６は、本体８０の横側壁部８１の内側面に当接して、第二戸単体８を定位置で制止させる。垂直軸体７７は、凹入空間８４の上側の凹溝部８５における開口部８５ａ内に入り込んでいる。
【００４６】
上記のように第一戸単体７と第二戸単体８が第一横動経路９内で直列して、収納空間２の開口部を全閉している状態から、第二戸単体８を第一戸単体７の方へ開動させると、図２１Ａ及び図２１Ｂに示すように、第二戸単体８の上側横動体５１における制御レバー５２ａのカム従動ローラー５２ｂが、閉じ位置にある第一戸単体７の上側カムレール１７における自動ロック手段３６の可動板３８の凹入溝部３８ａ内から湾曲レール溝３７内へ移行するのに伴って、制御レバー５２ａを介して平行リンク５２が突出姿勢から退入姿勢に向かって揺動し始める。同時に、第二戸単体８の下側横動体５６における制御レバー５７ｂのカム従動ローラー５７ｃも、閉じ位置にある第一戸単体７の下側カムレール１９における湾曲レール溝１９ａ内を移動するのに伴って、制御レバー５７ｂを介して平行リンク５７も突出姿勢から退入姿勢に向かって揺動し始める。このときの上側横動体５１の平行リンク５２と下側横動体５６の平行リンク５７の突出姿勢への揺動運動は、互いに同期している。この結果、上側横動体５１の平行リンク５２，５３と下側横動体５６の平行リンク５７，５８は、互いに同期して退入姿勢から突出姿勢に変化しながら、上側第二ガイドレール１１と下側ガイドレール１３に沿って横動することになり、第二戸単体８は、図２１Ａに示すように、その内端の薄肉突出板部８ａが第一戸単体７の内端の凹入段部７ａから斜め前方に浮き上がるように、第一横動経路９内から第二横動経路１０内へ斜め前方に平行移動することになる。
【００４７】
第二戸単体８が第一横動経路９内から第二横動経路１０内へ斜め前方に平行移動しながら開動することにより、第二戸単体８が第二横動経路１０内に到達することになるが、図２１Ａに示すように、第二戸単体８側の制御レバー５２ａのカム従動ローラー５２ｂが、第一戸単体７側の自動ロック手段３６の凹入溝部３８ａのカム面部３８ｂから湾曲レール溝３７内に移行するのに伴って、自動ロック手段３６の可動板３８が圧縮コイルバネ３９の付勢力で前進限位置まで移動する。この結果、図２１Ｂに示すように、可動板３８の係合部４０が、上側第二ガイドレール１１に接近した突出作用位置に切り換わり、当該係合部４０の第一戸単体７の開動方向側の直角角部が、上側第二ガイドレール１１側のストッパー部材４２の直角角部と、戸横動方向に互いに重なる状態になる。従って、閉じ位置にある第一戸単体７は、第二戸単体８が第二横動経路１０内に移動したことによって空き状態になった第一横動経路９に向かって閉じ位置から開動させようとしても、この第一戸単体７側の係合部４０が上側第二ガイドレール１１側のストッパー部材４２に当接し、開動を阻止される。
【００４８】
上記の第二戸単体８の斜め前方への平行移動を伴う開動によって、図２７Ａ及び図２７Ｂに示す状態にあった第二戸単体位置決め手段４７は、図２８Ａ及び図２８Ｂに示すように、第二戸単体８側の従動部４８のガイドローラー７６と垂直軸体７７が、上側第二ガイドレール１１側の制御部７８の凹入空間８４内から斜め前方に退出してゆき、第二戸単体８の開動を妨害しない。このとき前記垂直軸体７７は、制御部７８の凹溝部８５内に進入することはなく、当該凹溝部８５の巾広の開口部８５ａから問題なく退出することが出来る。図４及び図５に示すように、第二戸単体８が第二横動経路１０内を横動して、閉じ位置にある第一戸単体７の外側に重なる開動限位置に達することで、第二戸単体８で閉じられていた収納空間２の半分の領域、即ち、垂直側板４ｂと中間仕切り壁板６との間の領域が開放された、第二戸単体８の開き状態となる。
【００４９】
尚、上記のように第二戸単体８が第一戸単体７の外側で開動するとき、第二戸単体８の内端上側の制御レバー５２ａのカム従動ローラー５２ｂは、第一戸単体７の上側レール１８のレール面１８ａに沿って転動しながら当該上側レール１８の外端側の端部に達することになり、第二戸単体８の内端下側の制御レバー５７ｂのカム従動ローラー５７ｃは、第一戸単体７の下側ガイドレール２０の直線レール溝２０ａ内を転動しながら当該直線レール溝２０ａの外端側の端部に達することになる。従って、開動途中や開動限位置に達している第二戸単体８に対し外側から第一戸単体７のある側へ不当な力が作用しても、この第二戸単体８を垂直姿勢に保持している突出姿勢の各平行リンク５２，５３，５７，５８が退入姿勢に揺動するのを、前記制御レバー５２ａ，５７ｂのカム従動ローラー５２ｂ，５７ｃの外側への移動を第一戸単体７の上側レール１８と下側ガイドレール２０が阻止しているので、第二戸単体８が第一戸単体７のある側へ倒れることはない。
【００５０】
先に説明したように、第二戸単体８が閉じ位置から開動し始めた以降は、閉じ位置にある第一戸単体７が閉じ位置から開動することは、図２１Ｂに示すように、第一戸単体７側の自動ロック手段３６における係合部４０と上側第二ガイドレール１１側のストッパー部材４２とによって阻止されているので、図４及び図５に示すように、閉じ位置にある第一戸単体７とその外側の開動限位置にある第二戸単体８とを一体に、第二戸単体８を閉動させる方向へ横動させることは出来ない。従って、図４及び図５に示す状態からは、開動限位置にある第二戸単体８のみを閉動させることが出来る。このときの動作は、閉じ位置にあった第二戸単体８を開動させたときと全く逆の動作となり、第二戸単体８は、第二横動経路１０内を横動した後に、第一戸単体７の上下両カムレール１７，１９と、これにカム従動ローラー５２ｂ，５７ｃが嵌入する第二戸単体８側の上下両制御レバー５２ａ，５７ｂとによって、第二横動経路１０内から第一横動経路９内に斜めに平行移動しながら進入して閉じ位置に復帰し、図１〜図３に示すように、第一戸単体７と第二戸単体８とが直列する全閉状態になる。
【００５１】
図１〜図３に示す全閉状態から、上記とは逆に第一戸単体７で閉じられていた収納空間２の半分の領域、即ち、垂直側板４ａと中間仕切り壁板６との間の領域を開く場合、閉じ位置にある第一戸単体７を第二戸単体８のある側へ開動させることになるが、このときには、図２０Ａ及び図２０Ｂに示すように、第一戸単体７側の自動ロック手段３６における係合部４０は、上側第二ガイドレール１１側のストッパー部材４２と当接することなく、当該ストッパー部材４２の前側を通過移動出来る状況にあるので、閉じ位置にある第一戸単体７を問題なく開動させることが出来る。このときの第一戸単体７の開動動作は、先に説明した第二戸単体８を開動させるときと相対的には同じであるから、図２２Ａ及び図２２Ｂに示すように、第一戸単体７側の上下両カムレール１７，１９の湾曲レール溝３７，１９ａが第二戸単体８の内端側の上下両制御レバー５２ａ，５７ｂのカム従動ローラー５２ｂ，５７ｃを介して、平行リンク５２，５７を退入姿勢から突出姿勢に揺動させながら、第一戸単体７が開動することになる。従って、第一戸単体７が開動するのに伴って第二戸単体８が閉じ位置から外側へ平行移動して、内側への第一戸単体７の横動を許すことになる。尚、第二戸単体８の上側の制御レバー５２のカム従動ローラー５２ｂが、第一戸単体７の自動ロック手段３６における可動板３８の凹入溝部３８ａ内から上側カムレール１７の湾曲レール溝３７内に移行するのに伴って、当該可動板３８の係合部４０が、先に説明したように前進移動することになるが、このときには既に係合部４０は、上側第二ガイドレール１１側のストッパー部材４２の前側に移動しているので、当該ストッパー部材４２の表面上を摺動して通過することになる。
【００５２】
上記の動作時における第二戸単体８は、第一戸単体７の開動方向に押圧力を受けながら平行リンク５２，５３，５７，５８によって前側の第二横動経路１０内へ平行移動することになるので、図２９Ａ及び図２９Ｂに示すように、第二戸単体位置決め手段４７の第二戸単体８側の従動部４８におけるガイドローラー７６が、上側第二ガイドレール１１側の制御部７８における本体８０の横側壁部８１の内側面に押し付けられながら転動して、第二戸単体８を閉じ位置から前側へ直線的に平行移動させることになる。このとき、第二戸単体８側の従動部４８における垂直軸体７７は、上側第二ガイドレール１１側の制御部７８における凹溝部８５の奥端部に向かって直線的に進入することになり、第二戸単体８を開動させたときのように開口部８５ａから脱出することはない。上記のようにして、第一戸単体７の開動開始に伴って第二戸単体８が第一横動経路９内から第二横動経路１０内へ直線的に平行移動し、この第二戸単体８の内側へ第一戸単体７が進入移動して、最終的に図６及び図７に示すように、第二横動経路１０内の第二戸単体８の外端側上下一対の当接部材４９，５０が第一戸単体７の内端の凹入段部７ａ内に嵌合して、第一戸単体７の開動を制止させる。
【００５３】
以上の動作により、図６及び図７に示すように、全閉状態における第二戸単体８の閉じ位置の跡に第一戸単体７が進入すると共に、この第一戸単体７の外側に第二戸単体８が重なった、第一戸単体７の開き状態に切り換わり、収納空間２の垂直側板４ｂ中間仕切り壁板６との間の半分の領域が開かれることになる。この図６及び図７に示す第一戸単体７の開き状態では、一対のローラーユニット１５Ａ，１５Ｂによって上側第一ガイドレール１２に吊り下げられている状態の第一戸単体７は、図２に示す中間ガイドレール２１の外端部に中間仕切り壁板６側の中間被係合部１４におけるローラー１４ｅが嵌合すると共に、第一戸単体７の外端側下端の下側被係合部１６のローラー３４が下側ガイドレール１３に嵌合しているので、当該第一戸単体７の下端側は外端側の位置でのみ、前後に関して方向の位置決めされており、内端側を位置決めする手段がない状態である。しかしながら第一戸単体７の開き状態では、その外側に、上側横動体５１の一対の平行リンク５２，５３と下側横動体５６の一対の平行リンク５７，５８とによって、垂直姿勢に保持されている第二戸単体８が被さっているので、内側の第一戸単体７に外から内側への押圧力を受けることは殆どないので、第一戸単体７が内側へ倒れる恐れは殆ど皆無と言える。
【００５４】
図６及び図７に示す第一戸単体７の開き状態では、図２９Ａ及び図２９Ｂに示すように、第二戸単体位置決め手段４７の第二戸単体８側の従動部４８における垂直軸体７７が、上側第二ガイドレール１１側の制御部７８における凹溝部８５の奥端部に入り込んでいるので、外側の第二戸単体８を反対側へ横動させることは出来ない。従って、第一戸単体７を引き出して元の閉じ位置まで横動させることにより、元の全閉状態に戻すことになる。このときの動作は、全閉状態から第一戸単体７を開動させて第一戸単体７の開き状態にするときの動作と逆になるだけであって、第一戸単体７が閉じ位置に達する直前から第二戸単体８が第二横動経路１０内から第一横動経路９内へ直線的に平行移動して、第一戸単体７と第二戸単体８が第一横動経路９内で直列する状態に切り換わる。
【００５５】
尚、上記の第一戸単体７の開き状態では、第一戸単体７の上側カムレール１７が備える自動ロック手段３６の可動板３８が前進限位置にあって、その係合部４０が上側第二ガイドレール１１側に接近した状態にある。従って、第一戸単体７を元の閉じ位置に戻すときの最終段階で、上側第二ガイドレール１１側に接近した状態にある係合部４０が、上側第二ガイドレール１１側のストッパー部材４２の位置を通過できなければならないが、先に説明したように、係合部４０とストッパー部材４２とは、第一戸単体７が閉じ位置から開動するときのみ互いに係合し、第一戸単体７が反対方向に横動して閉じ位置に戻るときは、係合部４０を備えた可動板３８が圧縮コイルバネ３９の付勢力に抗して後退移動して、ストッパー部材４２に対し係合部４０が通過することが出来る逆止構造であるから、問題なく第一戸単体７は元の閉じ位置まで横動することが出来る。第一戸単体７が元の閉じ位置に達したときには、可動板３８が圧縮コイルバネ３９の付勢力で前進限位置に復帰し、係合部４０は、ストッパー部材４２と係合する状態になろうとするが、同時に第二戸単体８が第二横動経路１０内から第一横動経路９内に直線的に平行移動して元の閉じ位置に復帰するので、この第二戸単体８の上側内端の制御レバー５２ａのカム従動ローラー５２ｂが、先に説明したように第一戸単体７側の自動ロック手段３６における可動板３８（係合部４０）を後退限位置に戻して、自動ロック手段３６をロック解除状態に切り換えることになる。
【産業上の利用可能性】
【００５６】
本発明の引き違い戸装置は、収納空間の開口部を２枚の戸単体で閉じた状態から、当該２枚の戸単体の任意の一方を他方の戸単体に重ねるように横動させることにより、前記開口部の左右の片側半分を開くことが出来るものであって、開口部を２枚の戸単体で閉じたときには、当該２枚の戸単体を一直線上に直列させて互いに突き合い状態とすることの出来る引き違い戸装置として活用出来る。
【符号の説明】
【００５７】
１    引き違い戸装置
２    収納空間
３    床板
５    天板
６    中間仕切り壁板
７    第一戸単体
７ａ    切欠段部
８    第二戸単体
８ａ    薄肉突出板部
９    第一横動経路
１０    第二横動経路
１１    上側第二ガイドレール
１１ａ，１１ｂ    溝形レール部
１２    上側第一ガイドレール
１３    下側ガイドレール
１２ａ    垂直板部
１２ｂ    水平張出し板部
１２ｃ    突条レール部
１４    中間被係合部
１４ａ，２６，３３ａ，４１ｂ    長孔
１４ｂ，２７，３３ｂ，７９ｂ，７９ｅ    締結ボルト
１４ｃ    ブラケット
１４ｅ    ローラー
１５Ａ，１５Ｂ    ローラーユニット
１６    下側被係合部
１７    上側カムレール
１８    上側レール
１８ａ    レール面
１９    下側カムレール
１９ａ，３７    湾曲レール溝
２０    下側ガイドレール
２０ａ，２１ａ    直線レール溝
２１    中間ガイドレール
２３ａ，２３ｂ    溝付きローラー
２４    支軸
２５    可動板
２８    ロック部材
２９ａ，２９ｂ    係止片
３０ａ，３０ｂ    逆止爪
３１ａ，３１ｂ    係止部
３２ａ，３２ｂ    操作部
３３    軸受部材
３４    ローラー
３６    自動ロック手段
３８    可動板
３８ａ    凹入溝部
３８ｂ    カム面部
３９，６９    圧縮コイルバネ
４０    係合部
４１ａ    ピン
４２    ストッパー部材
４３，４４    平行リンク軸受け支持用ユニット
４３ａ，４４ａ，４５ａ，４６ａ    収納空間
４３ｂ，４４ｂ，４５ｂ，４６ｂ    切欠き凹入溝
４５，４６    平行リンク軸受け支持用ユニット
４７    第二戸単体位置決め手段
４８    従動部
４９，５０    当接部材
５１    上側横動体
５２，５３，５７，５８    平行リンク
５２ａ，５７ｂ    制御レバー
５２ｂ，５７ｃ    カム従動ローラー
５４，５５，５９，６０    軸受け
５４ａ，５５ａ    吊下げ用垂直支軸
５６    下側横動体
６１ａ．６１ｂ    台車部
６２，７４    連結部材
６３ａ，６３ｂ    垂直回転軸
６４    支持用車輪
６５    位置決め用ローラー
６６    姿勢保持手段
６７    カム
６８    第一可動体
７０    第二可動体
７１    油圧ダンパー
７２，７３    スライダー
７２ｂ，７３ｂ，７６ガイドローラー
７７    垂直軸体
７８    制御部
７９    取付け用ブラケット
８０    本体
８４    凹入空間
８５    凹溝部
８５ａ    開口部
【図１】
2018087470.tif 000003
【図２】
2018087470.tif 000004
【図３】
2018087470.tif 000005
【図４】
2018087470.tif 000006
【図５】
2018087470.tif 000007
【図６】
2018087470.tif 000008
【図７】
2018087470.tif 000009
【図８】
2018087470.tif 000010
【図９】
2018087470.tif 000011
【図１０】
2018087470.tif 000012
【図１１】
2018087470.tif 000013
【図１２】
2018087470.tif 000014
【図１３】
2018087470.tif 000015
【図１４】
2018087470.tif 000016
【図１５】
2018087470.tif 000017
【図１６】
2018087470.tif 000018
【図１７】
2018087470.tif 000019
【図１８】
2018087470.tif 000020
【図１９】
2018087470.tif 000021
【図２０】
2018087470.tif 000022
【図２１】
2018087470.tif 000023
【図２２】
2018087470.tif 000024
【図２３】
2018087470.tif 000025
【図２４】
2018087470.tif 000026
【図２５】
2018087470.tif 000027
【図２６】
2018087470.tif 000028
【図２７】
2018087470.tif 000029
【図２８】
2018087470.tif 000030
【図２９】
2018087470.tif 000031